(57)【要約】  【課題】  従来のカーナビなどの車載端末装置は、後席から専用リモコンを用いて操作を行う場合、シート等の障害物によって赤外線送信の認識率が悪く、非効率的である。  【解決手段】  本発明は、かかる実情に鑑み、車載端末からリモコンプログラムを取得し、実行する携帯端末と、リモコンプログラムの実行によって送信されるリモコン命令を受信し、これに基づいた処理を実行する車載端末からなる車載端末操作システムを提案するものである。携帯端末からのリモコン命令の送信がブルートゥースによって実現される場合には、シートや、乗員などの障害物があっても通信を行うことができる。また、車載端末等からリモコンプログラムを取得することで、専用の携帯端末でなくても、汎用的な携帯電話などで車載端末の遠隔操作ができる。【選択図】            図２
2006295812.tif 000002
【特許請求の範囲】
【請求項１】
電波による無線伝送方式でデータ通信を行う車載端末と、電波による無線伝送方式でデータ通信を行う携帯端末とからなる車載端末操作システムであって、
前記車載端末は、
リモコン受信部と、
リモコン受信部にて受信したリモコン命令に基づいた処理を実行するリモコン命令処理実行部と、
前記リモコン命令を携帯端末にて生成するためのリモコンプログラムを電波による無線伝送方式で出力するリモコンプログラム出力部と、を有し、
前記携帯端末は、
前記リモコンプログラムを車載端末のリモコンプログラム出力部を介して取得するためのリモコンプログラム取得部と、
前記リモコンプログラム取得部にて取得したリモコンプログラムを実行するためのリモコンプログラム実行部と、を有する
車載端末操作システム。
【請求項２】
電波による無線伝送方式でデータ通信を行う車載端末であって、
リモコン命令を受信するリモコン受信部と、
リモコン受信部にて受信したリモコン命令に基づいた処理を実行するリモコン命令処理実行部と、
前記リモコン命令を携帯端末にて生成するためのリモコンプログラムを電波による無線伝送方式で出力するリモコンプログラム出力部と、
を有する車載端末。
【請求項３】
前記リモコンプログラム出力部は、
携帯端末が、ＩＣメモリから取得したリモコンプログラム出力要求を送信するための出力要求送信手段を構成するプログラムである出力要求手段構成プログラムを実行することによって送信されるリモコンプログラム出力要求に基づいて、リモコンプログラムを携帯端末に対して電波による無線伝送方式で出力する請求項２に記載の車載端末。
【請求項４】
前記リモコンプログラム出力部は、
携帯端末が、外部サーバから取得したリモコンプログラム出力要求を送信するための出力要求送信手段を構成するプログラムである出力要求手段構成プログラムを実行することによって送信されたリモコンプログラム出力要求に基づいて、リモコンプログラムを携帯端末に対して電波による無線伝送方式で出力する請求項２に記載の車載端末。
【請求項５】
前記リモコン受信部は、
携帯端末が、ＩＣメモリから取得したリモコンプログラムを実行することによって送信されるリモコン命令を受信する請求項２に記載の車載端末。
【請求項６】
前記リモコン受信部は、
携帯端末が、外部サーバから取得したリモコンプログラムを実行することによって送信されるリモコン命令を受信する請求項２に記載の車載端末。
【請求項７】
リモコン命令処理実行部での処理の実行に応じて生成される生成情報を出力するための生成情報出力部、をさらに有し、
前記リモコンプログラムは、前記生成情報出力部から出力される生成情報を取得するための手段である生成情報取得手段を構成するための生成情報取得手段構成プログラムを含む請求項２から６のいずれか一に記載の車載端末。
【請求項８】
電波による無線伝送方式でデータ通信を行う携帯端末であって、
リモコン命令を携帯端末にて生成するためのリモコンプログラムを、車載端末を介して取得するためのリモコンプログラム取得部と、
前記リモコンプログラム取得部にて取得したリモコンプログラムを実行するためのリモコンプログラム実行部と、を有する
携帯端末。
【請求項９】
リモコンプログラムを保持する第一リモコンプログラム保持部と、
第一リモコンプログラム保持部に保持されているリモコンプログラムを更新するためのリモコンプログラム更新情報をＩＣメモリから取得するリモコンプログラム更新情報ＩＣメモリ取得部と、
前記リモコンプログラム更新情報ＩＣメモリ取得部にて取得したリモコンプログラム更新情報に基づいて第一リモコンプログラム保持部にて保持されているリモコンプログラムを更新するための第一リモコンプログラム更新部と、
を有する請求項８に記載の携帯端末。
【請求項１０】
リモコンプログラムを保持する第二リモコンプログラム保持部と、
第二リモコンプログラム保持部に保持されているリモコンプログラムを更新するためのリモコンプログラム更新情報を外部サーバから取得するリモコンプログラム更新情報外部サーバ取得部と、
前記リモコンプログラム更新情報外部サーバ取得部にて取得したリモコンプログラム更新情報に基づいて第二リモコンプログラム保持部にて保持されているリモコンプログラムを更新するための第二リモコンプログラム更新部と、
を有する請求項８に記載の携帯端末。
【発明の詳細な説明】
【技術分野】
【０００１】
本発明は、車載端末操作システムに関するものである。
【背景技術】
【０００２】
従来は、カーナビゲーションシステムなどの車載端末装置の操作は、車載端末画面のタッチパネルや、専用リモコンなどを用いて行う。また、携帯電話の無線通話を利用して、車載端末装置の遠隔操作を行うシステムは提案されている（特許文献１参照。）。
【特許文献１】特開平１０−２７６４８０
【発明の開示】
【発明が解決しようとする課題】
【０００３】
しかしながら、車載端末画面のタッチパネルを用いて車載端末装置の操作を行う場合、後席から操作を行なうことは物理的に困難である。加えて、後席からリモコンによる赤外線通信にて車載端末装置の操作を行う場合、シートや乗員等の障害物によってリモコン命令の認識率が著しく低下する。この場合、後席からリモコンによる車載端末装置の操作の効率性が悪く、利用者が使いづらいという課題が生じることになる。さらに、後席からは、車載端末画面に表示される検索情報などを判別することが困難である。
【０００４】
また、携帯電話回線を利用して、車載端末装置の遠隔操作を行う手法においては、基地局との通信が必要となるため、トンネルなど電波の受信状況が悪い場所を走行中には、操作ができなくなることが想定される。
【課題を解決するための手段】
【０００５】
本発明は、かかる実情に鑑み、車載端末から出力されたリモコンプログラムを取得し、これを実行する携帯端末、リモコンプログラムの実行によって送信されるリモコン命令を受信し、これに基づいた処理を実行する車載端末、及び、これらの端末からなる車載端末操作システムを提案するものである。このとき携帯端末は、リモコンプログラム出力要求を送信するための出力要求送信手段を構成する出力要求手段構成プログラムを、ＩＣメモリ、あるいは、外部サーバから取得するとしてもよい。他方、リモコンプログラム自体をＩＣメモリや、外部サーバから取得するとしてもよい。
【０００６】
なお、リモコンプログラムの更新は、携帯端末がＩＣメモリや、外部サーバから取得したリモコンプログラム更新情報に基づいて実行する。
【０００７】
また、リモコンプログラムに、車載端末におけるリモコン命令に基づいた処理の実行に応じて生成される生成情報を取得するための手段である生成情報取得手段を構成するための生成情報取得手段構成プログラムを含むとしてもよい。携帯端末の表示画面でルート検索の結果などの情報を見ることができる。
【発明の効果】
【０００８】
以上、説明したように本件発明のいずれか一又は二以上の発明に係る車載端末操作システムにおいて、車載端末や、ＩＣメモリ、外部サーバからリモコンプログラムを取得することで、専用の携帯端末でなくても、汎用的な携帯電話などで車載端末の遠隔操作ができる。また、携帯端末からのリモコン命令の送信が電波による無線伝送方式によって実現されることでは、赤外線通信にて課題となっていたシートや、乗員などの障害物の存在によるリモコン命令の認識率の低下を解消できる。つまり、後席から車載装置を遠隔操作する場合でも、その操作の効率性が損なわれることなく遠隔操作が可能となるため、利用者にとって便利である。
【０００９】
なお、リモコンプログラムの更新は、携帯端末がＩＣメモリや、外部サーバから取得したリモコンプログラム更新情報に基づいて実行する場合には、常に最新の更新状況に対応することができる。
【００１０】
携帯端末の表示画面に生成情報を表示し、利用者が視認することが可能となる場合には、車載端末の表示画面が見辛い後席の乗員も携帯端末を用いて、ルート検索結果などを確認することができ、便利である。特に多数の乗員が利用する乗り物において便利である。
【発明を実施するための最良の形態】
【００１１】
以下に、各発明を実施するための最良の形態を説明する。なお、本発明はこれら実施の形態に何ら限定されるものではなく、その要旨を逸脱しない範囲において、種々なる態様で実施しうる。
【００１２】
実施形態１は、主に請求項１、２、８などについて説明する。  実施形態２は、主に請求項３などについて説明する。  実施形態３は、主に請求項４などについて説明する。  実施形態４は、主に請求項５などについて説明する。  実施形態５は、主に請求項６などについて説明する。  実施形態６は、主に請求項７などについて説明する。  実施形態７は、主に請求項９などについて説明する。  実施形態８は、主に請求項１０などについて説明する。
【００１３】
<<実施形態１>>
【００１４】
<実施形態１：概要>  実施形態１について説明する。本実施形態は、車載端末から出力されたリモコンプログラムを取得し、実行する携帯端末と、リモコンプログラムの実行によって送信されるリモコン命令を受信し、これに基づいた処理を実行する車載端末からなる車載端末操作システムである。
【００１５】
図１は、本実施形態の概念の一例を示すものである。図で示したように本実施形態の車載端末操作システムは、車載端末と、携帯端末からなる。車載端末は、主にカーナビゲーションシステムを想定する。本発明は、後席から汎用の携帯端末（例えば、携帯電話など）を用いて車載端末を遠隔操作可能とすることを目的とするものである。そのためには、携帯端末にリモコンプログラムを備えておくことが必要となる。したがって、まず、車載端末は、携帯端末に対してリモコンプログラムを出力する（１）。一方、携帯端末は、このリモコンプログラムを取得する（２）。続いて、携帯端末は、取得したリモコンプログラムを実行する（３）。リモコンプログラムの実行により、リモコン命令が車載端末に対して送信されることになる。リモコン命令は、車載端末を動作させるための命令である。他方、車載端末は、送信されたリモコン命令を受信する（４）。車載端末は、受信したリモコン命令に基づいた処理を実行する（５）。具体的には、カーナビゲーションシステムの目的地の設定や、ルート検索の実行などが該当する。
【００１６】
<実施形態１：構成>  本実施形態での機能ブロックの一例を図２に示した。  図２に示す本実施形態の「車載端末操作システム」（０２００）は、「車載端末」（０２１０）と、「携帯端末」（０２２０）とからなる。また、「車載端末」（０２１０）は、「リモコン受信部」（０２１１）と、「リモコン命令処理実行部」（０２１２）と、「リモコンプログラム出力部」（０２１３）を有し、「携帯端末」（０２２０）は、「リモコンプログラム取得部」（０２２１）と、「リモコンプログラム実行部」（０２２２）を有する。
【００１７】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１８】
「車載端末操作システム」（０２００）は、「車載端末」（０２１０）と、「携帯端末」（０２２０）とからなる。なお、車載端末、及び、携帯端末は、本発明での車載端末操作システムとして活用できるだけでなく、端末単体にて後述する機能を有し、各種の処理を実行することもできる。（本明細書の全体を通じて同様である。）
【００１９】
まず、車載端末から説明する。「車載端末」（０２１０）は、主にカーナビゲーションシステムの車載端末などが想定される。なお、車載端末は、ブルートゥースなど電波による無線伝送方式でのデータ通信が可能な機能を有することが前提となる。
【００２０】
「リモコン受信部」（０２１１）は、リモコン命令を受信する。「リモコン」とは、リモートコントローラーのことであり、本発明では主に携帯端末がその役割を果たす。「リモコン命令」とは、携帯端末がリモコンプログラムを実行することによって送信される命令のことであり、カーナビゲーションシステムの操作を行うための命令などが該当する。
【００２１】
「リモコン命令処理実行部」（０２１２）は、リモコン受信部（０２１１）にて受信したリモコン命令に基づいた処理を実行する。リモコン命令に基づいた処理とは、カーナビゲーションシステムの操作（例えば、目的地の設定や、ルート検索の実行など）を実現するための処理等が該当する。
【００２２】
「リモコンプログラム出力部」（０２１３）は、リモコンプログラムを出力する。「リモコンプログラム」とは、前記リモコン命令を携帯端末にて生成するためのプログラムである。生成されたリモコンプログラムを携帯端末において実行することにより、車載端末を制御するためのリモコン命令が電波による無線伝送方式にて出力される。リモコンプログラムは、リモコン命令を出力可能となるように携帯端末を機能させる働きを有する。このリモコンプログラムを有しない携帯端末は、リモコン命令を生成することができないため、車載端末を遠隔操作することはできない。リモコンプログラムの出力は、車載端末の操作に応じた出力要求などに基づいて行なわれるとしてもよい。このとき、リモコンプログラムの出力自体も電波による無線伝送方式にて出力されることが想定される。
【００２３】
続いて、携帯端末について説明する。「携帯端末」（０２２０）は、携帯電話、ＰＨＳ、ＰＤＡ、ノートパソコンなどの汎用的な携帯型の端末装置などが想定される。なお、携帯端末は、ブルートゥースなど電波による無線伝送方式でのデータ通信が可能な機能を有することが前提となる。また、後述するリモコンプログラムを実行するために、Ｊａｖａ（登録商標）アプレットを使用できる機能を有するとしてもよい。（本明細書の全体を通じて同様である。）
【００２４】
「リモコンプログラム取得部」（０２２１）は、前記リモコンプログラムを車載端末のリモコンプログラム出力部（０２１３）を介して取得するための処理を行う。携帯端末は、電波による無線伝送方式等を利用してダウンロードすることによってリモコンプログラムを取得することが想定される。なお、携帯端末の機種に対応するリモコンプログラムを取得することができ、例えば、リモコンプログラムは、携帯端末の機種に応じて、リモコンモード時の画面サイズ、キーの割り当て、文字フォントなどを構成するための情報を含んでいることが想定される。
【００２５】
「リモコンプログラム実行部」（０２２２）は、前記リモコンプログラム取得部（０２２１）にて取得したリモコンプログラムを実行するための処理を行う。リモコンプログラムの実行により、Ｊａｖａ（登録商標）アプレットが起動し、リモコン命令が車載端末に対して送信されることになる。このとき、リモコン命令の送信は電波による無線伝送方式によって実現されることが想定される。例えばブルートゥースは、機器間の距離が１０ｍ以内であれば、障害物があっても通信を行うことができるため、後席からでも車載装置を遠隔操作することができる。
【００２６】
<実施形態１：処理の流れ>  図３は、実施形態１での処理の流れの一例を示したものである。まず、車載端末は、携帯端末に対してリモコン命令を携帯端末にて生成するためのリモコンプログラムを出力する（リモコンプログラム出力ステップ  Ｓ０３０１）。他方、携帯端末は、リモコンプログラムを取得する（リモコンプログラム取得ステップ  Ｓ０３０２）。次に、携帯端末は、取得したリモコンプログラムを実行する（リモコンプログラム実行ステップ  Ｓ０３０３）。このときリモコンプログラムの実行により、リモコン命令が車載端末に対して送信されることになる。続いて、車載端末は、リモコン命令を受信する（リモコン受信ステップ  Ｓ０３０４）。最後に、車載端末は、受信したリモコン命令に基づいた処理を実行する（リモコン命令処理実行ステップ  Ｓ０３０５）。
【００２７】
以上の処理は、計算機に実行させるためのプログラムで実行することができ、また、このプログラムを計算機によって読取り可能な記録媒体に記録することができる。（本明細書の全体を通して同様である。）
【００２８】
<実施形態１：効果>  本実施形態は、車載端末から出力されたリモコンプログラムを取得し、実行する携帯端末と、リモコンプログラムの実行によって送信されるリモコン命令を受信し、これに基づいた処理を実行する車載端末からなる車載端末操作システムである。携帯端末からのリモコン命令の送信が電波による無線伝送方式によって実現される場合には、シートや、乗員などの障害物があっても通信を行うことができるため、後席からでも車載装置を遠隔操作することができ、便利である。また、車載端末からリモコンプログラムを取得することで、専用の携帯端末でなくても、汎用的な携帯電話などで車載端末の遠隔操作ができるため、安価に本車載端末操作システムを利用することができる。
【００２９】
<<実施形態２>>
【００３０】
<実施形態２：概要>  実施形態２について説明する。本実施形態は、携帯端末が、ＩＣメモリから取得した出力要求手段構成プログラムを実行することによって送信されるリモコンプログラム出力要求に基づいて、リモコンプログラムを携帯端末に対して電波による無線伝送方式で出力することに特徴を有する車載端末である。
【００３１】
<実施形態２：構成>  本実施形態での機能ブロックの一例を図４に示した。  図４に示す本実施形態の「車載端末操作システム」（０４００）は、「車載端末」（０４１０）と、「携帯端末」（０４２０）とからなる。また、「車載端末」（０４１０）は、「リモコン受信部」（０４１１）と、「リモコン命令処理実行部」（０４１２）と、「リモコンプログラム出力部」（０４１３）を有し、「携帯端末」（０４２０）は、「リモコンプログラム取得部」（０４２１）と、「リモコンプログラム実行部」（０４２２）を有する。さらに、リモコンプログラム取得部（０４２１）は、「第一出力要求手段構成プログラム取得手段」（０４２３）を有する。ここでは、システム全体の機能ブロック図を示したが、本実施形態特有の特徴を有するのは車載端末である。
【００３２】
「第一出力要求手段構成プログラム取得手段」（０４２３）は、出力要求手段構成プログラムをＩＣメモリから取得する。「出力要求手段構成プログラム」とは、前記リモコンプログラム出力部（０４１３）に対してリモコンプログラム出力要求を送信するための出力要求送信手段を構成するプログラムである。リモコンプログラムを車載装置から取得するためには、携帯端末からリモコンプログラム出力要求を送信することが前提となる。携帯端末は、ＩＣメモリから取得した出力要求手段構成プログラムを実行等すれば、リモコンプログラム出力要求を車載端末に送信することになる。また、このときのリモコンプログラム出力要求は、ブルートゥースなど電波による無線伝送方式にて送信されることが想定される。なお、「ＩＣメモリ」は、ＳＤカードや、メモリスティックなどの一般的な記憶媒体などが該当する。携帯端末にＩＣメモリを挿入することで、ＩＣメモリ内に蓄積された出力要求手段構成プログラムがダウンロードされる。
【００３３】
車載端末側では、このリモコンプログラム出力要求を受けて、リモコンプログラムを出力する。携帯端末は、出力されたリモコンプログラムを取得することで、はじめて車載端末の遠隔操作が可能となる。なお、携帯端末においてリモコンプログラムを実行することによるプログラム命令の出力は、ブルートゥースなど電波による無線伝送方式にて送信されることが想定される。
【００３４】
図５（ａ）は、実施形態２のリモコンプログラムと、出力要求手段構成プログラムの取得ルートを示した図である。携帯端末は、出力要求手段構成プログラム（ＯＰ）をＩＣカードから取得し、車載端末にリモコンプログラムの出力要求を行う。この出力要求に基づいて、リモコンプログラム（ＲＰ）が車載端末から取得できることで、車載端末との通信が確立し、遠隔操作が可能となる。
【００３５】
その他各部の処理については、実施形態１と同様である。
【００３６】
<実施形態２：処理の流れ>  図６は、実施形態２での処理の流れの一例を示したものである。まず、携帯端末は、車載端末に対してリモコンプログラム出力要求を送信するための出力要求送信手段を構成するプログラムである出力要求手段構成プログラムをＩＣメモリから取得する（出力要求手段構成プログラム取得ステップ  Ｓ０６０１）。次に、取得した出力要求手段構成プログラムを実行する（出力要求手段構成プログラム実行ステップ  Ｓ０６０２）。このとき出力要求手段構成プログラムの実行により、車載端末に対してリモコンプログラム出力要求を送信されることになる。これを受けて車載端末は、携帯端末に対してリモコン命令を携帯端末にて生成するためのリモコンプログラムを出力する（リモコンプログラム出力ステップ  Ｓ０６０３）。他方、携帯端末は、リモコンプログラムを取得する（リモコンプログラム取得ステップ  Ｓ０６０４）。次に、携帯端末は、取得したリモコンプログラムを実行する（リモコンプログラム実行ステップ  Ｓ０６０５）。このときリモコンプログラムの実行により、リモコン命令が車載端末に対して送信されることになる。続いて、車載端末は、リモコン命令を受信する（リモコン受信ステップ  Ｓ０６０６）。最後に、車載端末は、受信したリモコン命令に基づいた処理を実行する（リモコン命令処理実行ステップ  Ｓ０６０７）。
【００３７】
<実施形態２：効果>  本実施形態は、携帯端末が、ＩＣメモリから取得した出力要求手段構成プログラムを実行することによって送信されるリモコンプログラム出力要求に基づいて、リモコンプログラムを携帯端末に対して電波による無線伝送方式で出力することに特徴を有する車載端末である。リモコンプログラムを保持する車載端末を利用者に提供する際に、利用者の所有する携帯端末をリモコンとして活用したい利用者には、出力要求手段構成プログラムを記憶させたＩＣメモリも提供することとする販売方法を確立することができるため、確実に車載端末操作システムとしての対価を獲得することが可能となる。また、出力要求手段構成プログラムは、車載端末の機種によらずに共通であるため、ＩＣメモリで広く頒布することができ、利用者も容易に入手できる。
【００３８】
<<実施形態３>>
【００３９】
<実施形態３：概要>  実施形態３について説明する。本実施形態は、携帯端末が、外部サーバから取得した出力要求手段構成プログラムを実行することによって送信されるリモコンプログラム出力要求に基づいて、リモコンプログラムを携帯端末に対して電波による無線伝送方式で出力することに特徴を有する車載端末である。
【００４０】
<実施形態３：構成>  本実施形態での機能ブロックの一例を図７に示した。  図７に示す本実施形態の「車載端末操作システム」（０７００）は、「車載端末」（０７１０）と、「携帯端末」（０７２０）とからなる。また、「車載端末」（０７１０）は、「リモコン受信部」（０７１１）と、「リモコン命令処理実行部」（０７１２）と、「リモコンプログラム出力部」（０７１３）を有し、「携帯端末」（０７２０）は、「リモコンプログラム取得部」（０７２１）と、「リモコンプログラム実行部」（０７２２）を有する。さらに、リモコンプログラム取得部（０７２１）は、「第二出力要求手段構成プログラム取得手段」（０７２３）を有する。ここでは、システム全体の機能ブロック図を示したが、本実施形態特有の特徴を有するのは車載端末である。
【００４１】
「第二出力要求手段構成プログラム取得手段」（０７２３）は、出力要求手段構成プログラムを外部サーバから取得する。「出力要求手段構成プログラム」とは、前記リモコンプログラム出力部（０７１３）に対してリモコンプログラム出力要求を送信するための出力要求送信手段を構成するプログラムである。リモコンプログラムを車載装置から取得するためには、携帯端末からリモコンプログラム出力要求を送信することが前提となる。携帯端末は、外部サーバから取得した出力要求手段構成プログラムを実行等すれば、リモコンプログラム出力要求を車載端末に送信することになる。また、このときのリモコンプログラム出力要求は、ブルートゥースなど電波による無線伝送方式にて送信されることが想定される。なお、「外部サーバ」は、センタなどに配置されたサーバ装置などが該当する。携帯端末からの送信要求などに応じて、外部サーバ内に蓄積された出力要求手段構成プログラムがインターネットを経由してダウンロードされることが想定される。この場合、携帯端末もインターネットに接続できる機能を有することが前提となる。
【００４２】
車載端末側では、このリモコンプログラム出力要求を受けて、リモコンプログラムを出力する。携帯端末は、出力されたリモコンプログラムを取得することで、はじめて車載端末の遠隔操作が可能となる。なお、携帯端末においてリモコンプログラムを実行することによるプログラム命令の出力は、ブルートゥースなど電波による無線伝送方式にて送信されることが想定される。
【００４３】
図５（ｂ）は、実施形態３のリモコンプログラムと、出力要求手段構成プログラムの取得ルートを示した図である。携帯端末は、出力要求手段構成プログラム（ＯＰ）を外部サーバから取得し、車載端末にリモコンプログラムの出力要求を行う。この出力要求に基づいて、リモコンプログラム（ＲＰ）が車載端末から取得できることで、車載端末との通信が確立し、遠隔操作が可能となる。
【００４４】
その他各部の処理については、実施形態１と同様である。
【００４５】
<実施形態３：処理の流れ>  実施形態３での処理の流れは、携帯端末が出力要求手段構成プログラムを取得する対象が外部サーバである点以外は、実施形態２と同様である。
【００４６】
<実施形態３：効果>  本実施形態は、携帯端末が、外部サーバから取得した出力要求手段構成プログラムを実行することによって送信されるリモコンプログラム出力要求に基づいて、リモコンプログラムを携帯端末に対して電波による無線伝送方式で出力することに特徴を有する車載端末である。リモコンプログラムを保持する車載端末を利用者に提供する際に、利用者の所有する携帯端末をリモコンとして活用したい利用者には、出力要求手段構成プログラムを外部サーバからダウンロードできるようにする販売方法を確立することができるため、確実に車載端末操作システムとしての対価を獲得することが可能となる。
【００４７】
<<実施形態４>>
【００４８】
<実施形態４：概要>  実施形態４について説明する。本実施形態は、携帯端末が、ＩＣメモリから取得したリモコンプログラムを実行することによって送信されるリモコン命令を受信することに特徴を有する車載端末である。
【００４９】
<実施形態４：構成>  本実施形態での機能ブロックの一例を図８に示した。  図８に示す本実施形態の「車載端末操作システム」（０８００）は、「車載端末」（０８１０）と、「携帯端末」（０８２０）とからなる。また、「車載端末」（０８１０）は、「リモコン受信部」（０８１１）と、「リモコン命令処理実行部」（０８１２）を有し、「携帯端末」（０８２０）は、「リモコンプログラムＩＣメモリ取得部」（０８２１）と、「リモコンプログラム実行部」（０８２２）を有する。ここでは、システム全体の機能ブロック図を示したが、本実施形態特有の特徴を有するのは車載端末である。
【００５０】
「リモコンプログラムＩＣメモリ取得部」（０８２１）は、リモコン命令を携帯端末にて生成するためのリモコンプログラムをＩＣメモリから取得する。リモコンプログラムを有しない携帯端末は、リモコン命令を生成することができないため、車載端末を遠隔操作することはできない。したがって、ここでは携帯端末にＩＣメモリを挿入等することで、リモコンプログラムを直接ダウンロードすることが可能となる。ＩＣメモリは、リモコンプログラムが記憶された状態でメーカーにより直接配布される場合の他、サーバなどを介して利用者がリモコンプログラムを記憶させる場合がある。
【００５１】
「リモコンプログラム実行部」（０８２２）は、リモコンプログラムＩＣメモリ取得部（０８２１）にて取得したリモコンプログラムを実行するための処理を行う。リモコンプログラムの実行により、車載端においてリモコン命令を受信できることになる。このとき、リモコン命令の送信は電波による無線伝送方式によって実現されることが想定される。例えばブルートゥースは、機器間の距離が１０ｍ以内であれば、障害物があっても通信を行うことができるため、後席からでも車載装置を遠隔操作することができる。
【００５２】
図５（ｃ）は、実施形態４のリモコンプログラムの取得ルートを示した図である。携帯端末は、リモコンプログラム（ＲＰ）をＩＣカードから取得することで、車載端末との通信が確立し、遠隔操作が可能となる。
【００５３】
その他各部の処理については、実施形態１と同様である。
【００５４】
<実施形態４：処理の流れ>  図９は、実施形態４での処理の流れの一例を示したものである。まず、携帯端末は、リモコン命令を携帯端末にて生成するためのリモコンプログラムをＩＣメモリから取得する（リモコンプログラムＩＣメモリ取得ステップ  Ｓ０９０１）。次に、携帯端末は、取得したリモコンプログラムを実行する（リモコンプログラム実行ステップ  Ｓ０９０２）。このときリモコンプログラムの実行により、リモコン命令が車載端末に対して送信されることになる。続いて、車載端末は、リモコン命令を受信する（リモコン受信ステップ  Ｓ０９０３）。最後に、車載端末は、受信したリモコン命令に基づいた処理を実行する（リモコン命令処理実行ステップ  Ｓ０９０４）。
【００５５】
<実施形態４：効果>  本実施形態は、携帯端末が、ＩＣメモリから取得したリモコンプログラムを実行することによって送信されるリモコン命令を受信することに特徴を有する車載端末である。リモコンプログラムなしには携帯端末から車載端末を遠隔操作することはできないことから、リモコンプログラムを保持するＩＣメモリを利用者に提供する際に、確実に本車載端末操作システムの対価を獲得することが可能となる。
【００５６】
<<実施形態５>>
【００５７】
<実施形態５：概要>  実施形態５について説明する。本実施形態は、携帯端末が、外部サーバから取得したリモコンプログラムを実行することによって送信されるリモコン命令を受信することに特徴を有する車載端末である。
【００５８】
<実施形態５：構成>  本実施形態での機能ブロックの一例を図１０に示した。  図１０に示す本実施形態の「車載端末操作システム」（１０００）は、「車載端末」（１０１０）と、「携帯端末」（１０２０）とからなる。また、「車載端末」（１０１０）は、「リモコン受信部」（１０１１）と、「リモコン命令処理実行部」（１０１２）を有し、「携帯端末」（１０２０）は、「リモコンプログラム外部サーバ取得部」（１０２１）と、「リモコンプログラム実行部」（１０２２）を有する。ここでは、システム全体の機能ブロック図を示したが、本実施形態特有の特徴を有するのは車載端末である。
【００５９】
「リモコンプログラム外部サーバ取得部」（１０２１）は、リモコン命令を携帯端末にて生成するためのリモコンプログラムを外部サーバから取得する。リモコンプログラムを有しない携帯端末は、リモコン命令を生成することができないため、車載端末を遠隔操作することはできない。したがって、ここでは携帯端末からの送信要求などに応じて、外部サーバ内に蓄積されたリモコンプログラムがダウンロードされることが想定される。
【００６０】
「リモコンプログラム実行部」（１０２２）は、リモコンプログラム外部サーバ取得部（１０２１）にて取得したリモコンプログラムを実行するための処理を行う。リモコンプログラムの実行により、車載端末においてリモコン命令を受信できることになる。このとき、リモコン命令の送信は電波による無線伝送方式によって実現されることが想定される。例えばブルートゥースは、機器間の距離が１０ｍ以内であれば、障害物があっても通信を行うことができるため、後席からでも車載装置を遠隔操作することができる。
【００６１】
図５（ｄ）は、実施形態５のリモコンプログラムの取得ルートを示した図である。携帯端末は、リモコンプログラム（ＲＰ）を外部サーバから取得することで、車載端末との通信が確立し、遠隔操作が可能となる。
【００６２】
その他各部の処理については、実施形態１と同様である。
【００６３】
<実施形態５：処理の流れ>  実施形態５での処理の流れは、携帯端末がリモコンプログラムを取得する対象が外部サーバである点以外は、実施形態４と同様である。
【００６４】
<実施形態５：効果>  本実施形態は、リモコンプログラムを外部サーバから取得することに特徴を有する携帯端末である。リモコンプログラムなしには携帯端末から車載端末を遠隔操作することはできないことから、外部サーバからリモコンプログラムを取得する際に、確実に本車載端末操作システムの対価を獲得することが可能となる。
【００６５】
<<実施形態６>>
【００６６】
<実施形態６：概要>  実施形態６について説明する。本実施形態は、リモコンプログラムに、車載端末におけるリモコン命令に基づいた処理の実行に応じて生成される生成情報を取得するための手段である生成情報取得手段を構成するための生成情報取得手段構成プログラムを含むことに特徴を有する車載端末である。
【００６７】
<実施形態６：構成>  本実施形態での機能ブロックの一例を図１１に示した。  図１１に示す本実施形態の「車載端末操作システム」（１１００）は、「車載端末」（１１１０）と、「携帯端末」（１１２０）とからなる。また、「車載端末」（１１１０）は、「リモコン受信部」（１１１１）と、「リモコン命令処理実行部」（１１１２）と、「リモコンプログラム出力部」（１１１３）と、さらに、「生成情報出力部」（１１１４）を有し、「携帯端末」（１１２０）は、「リモコンプログラム取得部」（１１２１）と、「リモコンプログラム実行部」（１１２２）を有する。ここでは、実施形態１を基礎とした機能ブロックを示したが、その他の実施形態を基礎とする場合には、別の構成要件を必要とする場合もある。またここでは、システム全体の機能ブロック図を示したが、本実施形態特有の特徴を有するのは車載端末である。
【００６８】
「生成情報出力部」（１１１４）は、リモコン命令処理実行部（１１１２）での処理の実行に応じて生成される生成情報を出力する。リモコン命令処理実行部では、リモコン受信部（１１１１）にて受信したリモコン命令に基づいた処理を実行する。リモコン命令に基づいた処理とは、例えば、目的地の設定や、ルート検索の実行などカーナビゲーションシステムの操作を実現するための処理等が該当する。これらの処理の実行に応じて、目的地の設定情報や、ルート検索結果情報などの生成情報が生成され、車載端末から携帯端末へ出力されることが想定される。
【００６９】
「リモコンプログラム実行部」（１１２２）は、リモコンプログラム取得部（１１２１）にて取得したリモコンプログラムを実行する。ここでは、リモコンプログラムは、前記生成情報出力部（１１１４）から出力される生成情報を取得するための手段である生成情報取得手段を構成するための生成情報取得手段構成プログラムを含む。つまり、リモコンプログラムを実行することによって、生成情報取得手段構成プログラムも実行され、前記生成情報出力部（１１１４）から出力される生成情報が携帯端末に取得される。生成情報を取得した携帯端末では、表示画面に生成情報を表示し、利用者が視認することが可能となる。
【００７０】
その他各部の処理については、実施形態１から５と同様である。
【００７１】
<実施形態６：処理の流れ>  図１２は、実施形態６での処理の流れの一例を示したものである。まず、車載端末は、携帯端末に対してリモコン命令を携帯端末にて生成するためのリモコンプログラムを出力する（リモコンプログラム出力ステップ  Ｓ１２０１）。他方、携帯端末は、リモコンプログラムを取得する（リモコンプログラム取得ステップ  Ｓ１２０２）。次に、携帯端末は、取得したリモコンプログラムを実行する（リモコンプログラム実行ステップ  Ｓ１２０３）。このときリモコンプログラムの実行により、リモコン命令が車載端末に対して送信されることになる。続いて、車載端末は、リモコン命令を受信する（リモコン受信ステップ  Ｓ１２０４）。さらに、車載端末は、受信したリモコン命令に基づいた処理を実行する（リモコン命令処理実行ステップ  Ｓ１２０５）。その次に、リモコン命令処理実行ステップ（Ｓ１２０５）での処理の実行に応じて生成される生成情報を出力する（生成情報出力ステップ  Ｓ１２０６）。他方、携帯端末は、リモコンプログラムに含まれる生成情報取得手段構成プログラムを実行する（生成情報取得手段構成プログラム実行手段  Ｓ１２０７）。このとき、生成情報取得手段構成プログラムの実行により、前記生成情報出力ステップ（Ｓ１２０７）にて出力される生成情報を取得する。
【００７２】
<実施形態６：効果>  本実施形態は、リモコンプログラムに、車載端末におけるリモコン命令に基づいた処理の実行に応じて生成される生成情報を取得するための手段である生成情報取得手段を構成するための生成情報取得手段構成プログラムを含むことに特徴を有する車載端末である。生成情報を取得した携帯端末では、表示画面に生成情報を表示し、利用者が視認することが可能となる。車載端末の表示画面が見辛い後席の乗員も携帯端末を用いて、ルート検索結果などを確認することができ、便利である。
【００７３】
<<実施形態７>>
【００７４】
<実施形態７：概要>  実施形態７について説明する。本実施形態は、ＩＣメモリから取得したリモコンプログラム更新情報に基づいてリモコンプログラムを更新することに特徴を有する携帯端末である。
【００７５】
<実施形態７：構成>  本実施形態での機能ブロックの一例を図１３に示した。  図１３に示す本実施形態の「車載端末操作システム」（１３００）は、「車載端末」（１３１０）と、「携帯端末」（１３２０）とからなる。また、「車載端末」（１３１０）は、「リモコン受信部」（１３１１）と、「リモコン命令処理実行部」（１３１２）と、「リモコンプログラム出力部」（１３１３）を有し、「携帯端末」（１３２０）は、「リモコンプログラム取得部」（１３２１）と、「リモコンプログラム実行部」（１３２２）と、さらに、「第一リモコンプログラム保持部」（１３２３）と、「リモコンプログラム更新情報ＩＣメモリ取得部」（１３２４）と、「第一リモコンプログラム更新部」（１３２５）を有する。ここでは、実施形態１を基礎とした機能ブロックを示したが、その他の実施形態を基礎とする場合には、別の構成要件を必要とする場合もある。またここでは、システム全体の機能ブロック図を示したが、本実施形態特有の特徴を有するのは車載端末である。
【００７６】
「第一リモコンプログラム保持部」（１３２３）は、リモコンプログラムを保持する。リモコンプログラム取得部（１３２１）にて取得したリモコンプログラムを保持することが想定される。
【００７７】
「リモコンプログラム更新情報ＩＣメモリ取得部」（１３２４）は、リモコンプログラム更新情報をＩＣメモリから取得する。「リモコンプログラム更新情報」は、第一リモコンプログラム保持部（１３２３）に保持されているリモコンプログラムを更新するための情報である。リモコンプログラム更新情報は、リモコンプログラムのバージョンアップ等を可能とするファイルなどが該当する。携帯端末にＩＣメモリを挿入等することで、リモコンプログラム更新情報を取得することができる。
【００７８】
「第一リモコンプログラム更新部」（１３２５）は、前記リモコンプログラム更新情報ＩＣメモリ取得部（１３２４）にて取得したリモコンプログラム更新情報に基づいて第一リモコンプログラム保持部（１３２３）にて保持されているリモコンプログラムを更新するための処理を行う。リモコンプログラム実行部（１３２２）においては、更新後のリモコンプログラムが実行される。
【００７９】
リモコンプログラムは、実施形態１から５で示したように、車載端末、ＩＣメモリ、外部サーバから取得することが提案されているが、本実施形態ではリモコンプログラム自体がいずれのルートで取得されたかを問わず、ＩＣメモリから取得したリモコンプログラム更新情報に基づいてリモコンプログラムの更新が行われる。
【００８０】
その他各部の処理については、実施形態１から５と同様である。
【００８１】
<実施形態７：処理の流れ>  図１４は、実施形態７におけるリモコンプログラムの更新処理の流れの一例を示したものである。まず、携帯端末は、リモコンプログラムを取得し、保持する（リモコンプログラム取得ステップ  Ｓ１４０１）。次に、携帯端末は、リモコンプログラムを更新するためのリモコンプログラム更新情報をＩＣメモリから取得する（リモコンプログラム更新情報ＩＣメモリ取得ステップ  Ｓ１４０２）。その次に、前記リモコンプログラム更新情報ＩＣメモリ取得ステップ（Ｓ１４０２）にて取得したリモコンプログラム更新情報に基づいて保持されているリモコンプログラムを更新する（リモコンプログラム更新ステップ  Ｓ１４０３）。その後、リモコンプログラムを実行する（リモコンプログラム実行ステップ  Ｓ１４０４）。このときリモコンプログラムの実行により、リモコン命令が車載端末に対して送信されることになる。続いて、車載端末は、リモコン命令を受信し（リモコン受信ステップ  Ｓ１４０５）、受信したリモコン命令に基づいた処理を実行する（リモコン命令処理実行ステップ  Ｓ１４０６）。
【００８２】
<実施形態７：効果>  本実施形態は、携帯端末がＩＣメモリから取得したリモコンプログラム更新情報に基づいてリモコンプログラムを更新することに特徴を有する携帯端末である。リモコンプログラム更新情報を記憶させたＩＣメモリを提供することでリモコンプログラムの更新処理を可能とすることから、確実に車載端末操作システム利用の対価を獲得することが可能となる。
【００８３】
また、携帯端末をリモコンとして頻繁に使用する利用者に対しては、リモコンプログラム更新情報を記憶させたＩＣメモリを無償で提供するなどのビジネスモデルも考えられる。
【００８４】
<<実施形態８>>
【００８５】
<実施形態８：概要>  実施形態８について説明する。本実施形態は、外部サーバから取得したリモコンプログラム更新情報に基づいてリモコンプログラムを更新することに特徴を有する携帯端末である。
【００８６】
<実施形態８：構成>  本実施形態での機能ブロックの一例を図１５に示した。  図１５に示す本実施形態の「車載端末操作システム」（１５００）は、「車載端末」（１５１０）と、「携帯端末」（１５２０）とからなる。また、「車載端末」（１５１０）は、「リモコン受信部」（１５１１）と、「リモコン命令処理実行部」（１５１２）を有し、「携帯端末」（１５２０）は、「リモコンプログラム外部サーバ取得部」（１５２１）と、「リモコンプログラム実行部」（１５２２）と、さらに、「第二リモコンプログラム保持部」（１５２３）と、「リモコンプログラム更新情報外部メモリ取得部」（１５２４）と、「第二リモコンプログラム更新部」（１５２５）を有する。ここでは、実施形態５を基礎とした機能ブロックを示したが、その他の実施形態を基礎とする場合には、別の構成要件を必要とする場合もある。またここでは、システム全体の機能ブロック図を示したが、本実施形態特有の特徴を有するのは車載端末である。
【００８７】
「第二リモコンプログラム保持部」（１５２３）は、リモコンプログラムを保持する。リモコンプログラム外部サーバ取得部（１５２１）にて取得したリモコンプログラムを保持することが想定される。
【００８８】
「リモコンプログラム更新情報外部サーバ取得部」（１５２４）は、リモコンプログラム更新情報を外部サーバから取得する。「リモコンプログラム更新情報」は、第二リモコンプログラム保持部（１５２３）に保持されているリモコンプログラムを更新するための情報である。リモコンプログラム更新情報は、リモコンプログラムのバージョンアップ等を可能とするファイルなどが該当する。リモコンプログラム更新情報は、携帯端末からの送信要求などに基づいて、外部サーバからダウンロード等行うことで、取得することができる。
【００８９】
「第二リモコンプログラム更新部」（１５２５）は、前記リモコンプログラム更新情報外部サーバ取得部（１５２４）にて取得したリモコンプログラム更新情報に基づいて第二リモコンプログラム保持部（１５２３）にて保持されているリモコンプログラムを更新するための処理を行う。リモコンプログラム実行部（１５２２）においては、更新後のリモコンプログラムが実行される。
【００９０】
リモコンプログラムは、実施形態１から５で示したように、車載端末、ＩＣメモリ、外部サーバから取得することが提案されているが、本実施形態ではリモコンプログラム自体がいずれのルートで取得されたかを問わず、外部サーバから取得したリモコンプログラム更新情報に基づいてリモコンプログラムの更新が行われる。
【００９１】
その他各部の処理については、実施形態１から５と同様である。
【００９２】
<実施形態８：処理の流れ>  実施形態８での処理の流れは、携帯端末がリモコンプログラム更新情報を取得する対象が外部サーバである点以外は、実施形態７と同様である。
【００９３】
<実施形態８：効果>  本実施形態は、外部サーバから取得したリモコンプログラム更新情報に基づいてリモコンプログラムを更新することに特徴を有する携帯端末である。リモコンプログラム更新情報を外部サーバから取得することでリモコンプログラムの更新処理を可能とすることから、常に最新の更新状況に対応することができる。
【００９４】
また、携帯端末をリモコンとして頻繁に使用する利用者に対しては、リモコンプログラム更新情報を外部サーバから無償で取得できるようにするなどのビジネスモデルも考えられる。
【図面の簡単な説明】
【００９５】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態１〜５におけるプログラム取得パターンを示す図
【図６】実施形態２の処理の流れを説明する図
【図７】実施形態３を説明するための機能ブロック図
【図８】実施形態４を説明するための機能ブロック図
【図９】実施形態４の処理の流れを説明する図
【図１０】実施形態５を説明するための機能ブロック図
【図１１】実施形態６を説明するための機能ブロック図
【図１２】実施形態６の処理の流れを説明する図
【図１３】実施形態７を説明するための機能ブロック図
【図１４】実施形態７の処理の流れを説明する図
【図１５】実施形態８を説明するための機能ブロック図
【符号の説明】
【００９６】
０２００    車載端末操作システム
０２１０    車載端末
０２１１    リモコン受信部
０２１２    リモコン命令処理実行部
０２１３    リモコンプログラム出力部
０２２０    携帯端末
０２２１    リモコンプログラム取得部
０２２２    リモコンプログラム実行部
【図１】
2006295812.tif 000003
【図２】
2006295812.tif 000004
【図３】
2006295812.tif 000005
【図４】
2006295812.tif 000006
【図５】
2006295812.tif 000007
【図６】
2006295812.tif 000008
【図７】
2006295812.tif 000009
【図８】
2006295812.tif 000010
【図９】
2006295812.tif 000011
【図１０】
2006295812.tif 000012
【図１１】
2006295812.tif 000013
【図１２】
2006295812.tif 000014
【図１３】
2006295812.tif 000015
【図１４】
2006295812.tif 000016
【図１５】
2006295812.tif 000017